(57)【要約】【課題】樹脂シートなどにラミネートする印刷済フィルムは、巻きずれを生じないように巻き取らなければならないという課題があった。【解決手段】ラミネート用フィルム１０への絵柄や文字の印刷時に、当該フィルム１０の少なくとも一端側の耳領域２１に対し、巻きずれ防止印刷２４を施す。そして、巻きずれ防止印刷２４をガイドとして、印刷済ラミネート用フィルム１０を巻き取る。【選択図】図２
2008290829.tif 000002
【特許請求の範囲】
【請求項１】
ラミネート用フィルムに印刷を施し、印刷済ラミネート用フィルムをロール状に巻き取る方法であって、
前記ラミネート用フィルムへの絵柄や文字の印刷時に、前記フィルムの少なくとも一端側の耳領域に対し、巻きずれ防止印刷を施す工程と、
前記巻きずれ防止印刷をガイドとして印刷済ラミネート用フィルムを巻き取る工程と、を含むことを特徴とする、印刷済ラミネート用フィルムの巻き取り方法。
【請求項２】
前記巻きずれ防止印刷は、前記巻き取り方向に延びる互いに平行な少なくとも３本の仮想直線上に印刷され、前記巻き取り方向に沿って断続的に現れる所定の太さでかつ所定の長さの多数の線分を含むことを特徴とする、請求項１記載の印刷済ラミネート用フィルムの巻き取り方法。
【請求項３】
前記３本の仮想直線のうち、両側の仮想直線上には、対をなすように同時に線分が現れ、中央の仮想直線上には、両側の仮想直線上の線分と前記巻き取り方向にずれて重複しない位置に線分が現れるように、前記巻きずれ防止印刷が施されることを特徴とする、請求項１または２記載の印刷済ラミネート用フィルムの巻き取り方法。
【請求項４】
前記各線分の長さをＬとしたとき、両側の仮想直線上の線分と、中央の仮想直線上の線分とは、前記巻き取り方向にみて０．２Ｌ以上の間隔を有することを特徴とする、請求項１〜３のいずれかに記載の印刷済ラミネート用フィルムの巻き取り方法。
【請求項５】
前記各線分の太さをＴとしたとき、前記両側の仮想直線上に現れる対をなす線分間の間隔は１．５Ｔ以上であることを特徴とする、請求項１〜４のいずれかに記載の印刷済ラミネート用フィルムの巻き取り方法。
【請求項６】
請求項１〜５のいずれかに記載の巻きずれ防止印刷が施されていることを特徴とする、ラミネート用フィルム。
【発明の詳細な説明】
【技術分野】
【０００１】
この発明は、樹脂シート等にラミネートされるラミネートフィルムに関し、特に、絵柄や文字等が印刷されたラミネート用フィルムに関する。
【背景技術】
【０００２】
樹脂シートをシート成形して得られる包装用容器（たとえば食品収納用容器など）には、その外表面や内表面に、任意の絵柄や文字が印刷されたフィルムがラミネートされているものがある。（たとえば特許文献１参照）
包装用容器にラミネートするフィルムは、予めグラビア印刷等によってフィルムの表面に絵柄や文字が印刷され、印刷が施されたフィルム（印刷済フィルム）はロール状に巻き取られて、ラミネート用フィルムロールとして準備される。
【０００３】
ところで、ラミネート用フィルムに絵柄や文字の印刷を施し、印刷済フィルムをロール状に巻き取る際には、印刷した絵柄の内容や、巻き取り時の巻き上げテンション変動等によって、巻きずれが生じることがある。すなわち、巻き取られる印刷済フィルムが、ロールの軸方向に左右にずれて巻き取られることがある。
巻きずれを生じているフィルムロールから繰り出される印刷済フィルムを樹脂シートにラミネートする場合、ラミネートされる印刷済フィルムが樹脂シートに対して蛇行してはみ出し、フィルム屑が生じるという問題があった。
【０００４】
また、樹脂シートで成形する容器の型とフィルムに印刷した絵柄とを合わせる必要があるいわゆる定位置成形を行う場合は、絵柄が位置ずれを起こした不良品が生じるという問題もあった。
【特許文献１】意匠登録第１２０２８３７号公報
【発明の開示】
【発明が解決しようとする課題】
【０００５】
上述のような技術背景があるため、樹脂シートなどにラミネートする印刷済フィルムは、巻きずれを生じないように巻き取らなければならないという課題があった。
この発明は、上記課題を解決するためになされたもので、印刷済フィルムを巻きずれを生じないようにロール状に巻き取るための方法、および、巻きずれを生じにくい印刷済フィルムを提供することを主たる目的とする。
【課題を解決するための手段】
【０００６】
請求項１記載の発明は、ラミネート用フィルムに印刷を施し、印刷済ラミネート用フィルムをロール状に巻き取る方法であって、前記ラミネート用フィルムへの絵柄や文字の印刷時に、前記フィルムの少なくとも一端側の耳領域に対し、巻きずれ防止印刷を施す工程と、前記巻きずれ防止印刷をガイドとして印刷済ラミネート用フィルムを巻き取る工程と、を含むことを特徴とする、印刷済ラミネート用フィルムの巻き取り方法である。
【０００７】
請求項２記載の発明は、前記巻きずれ防止印刷は、前記巻き取り方向に延びる互いに平行な少なくとも３本の仮想直線上に印刷され、前記巻き取り方向に沿って断続的に現れる所定の太さでかつ所定の長さの多数の線分を含むことを特徴とする、請求項１記載の印刷済ラミネート用フィルムの巻き取り方法である。
請求項３記載の発明は、前記３本の仮想直線のうち、両側の仮想直線上には、対をなすように同時に線分が現れ、中央の仮想直線上には、両側の仮想直線上の線分と前記巻き取り方向にずれて重複しない位置に線分が現れるように、前記巻きずれ防止印刷が施されることを特徴とする、請求項１または２記載の印刷済ラミネート用フィルムの巻き取り方法である。
【０００８】
請求項４記載の発明は、前記各線分の長さをＬとしたとき、両側の仮想直線上の線分と、中央の仮想直線上の線分とは、前記巻き取り方向にみて０．２Ｌ以上の間隔を有することを特徴とする、請求項１〜３のいずれかに記載の印刷済ラミネート用フィルムの巻き取り方法である。
請求項５記載の発明は、前記各線分の太さをＴとしたとき、前記両側の仮想直線上に現れる対をなす線分間の間隔は１．５Ｔ以上であることを特徴とする、請求項１〜４のいずれかに記載の印刷済ラミネート用フィルムの巻き取り方法である。
【０００９】
請求項６記載の発明は、請求項１〜５のいずれかに記載の巻きずれ防止印刷が施されていることを特徴とする、ラミネート用フィルムである。
【発明の効果】
【００１０】
請求項１記載の発明によれば、ラミネート用フィルムは、所望の絵柄や文字等の印刷が施される際に、その印刷とは別に、耳領域（フィルムの幅方向両端の端部領域）に対して巻きずれ防止印刷が施される。絵柄や文字等が印刷されたラミネート用フィルムには、絵柄や文字のインキ層の厚みが加わるため、ロール状に巻き取る際に、絵柄の内容等によってはフィルムが巻きずれを生じることがある。たとえば、巻き取るフィルムを幅方向に見て、幅方向一方側にだけ絵柄が印刷されているような場合、絵柄が印刷された領域が厚くなり、フィルムの巻き取り径が均等にならず、巻きずれを起こし易い。
【００１１】
また、フィルム巻き取り時のテンション調整が不十分な場合には、巻き取られるフィルムが巻きずれを起こし易い。
そこでこの発明では、巻きずれ防止印刷を施す。巻きずれ防止印刷は、フィルムの少なくとも一端側の耳領域に施されるので、フィルムをラミネートする際の妨げにはならない。なぜなら、フィルムの耳領域は、ラミネート時には切除されて使用されないので、巻きずれ防止印刷を施すことは、ラミネートの妨げになったり、本来の絵柄や文字に干渉することはない。
【００１２】
巻きずれ防止印刷は、印刷済ラミネート用フィルムを巻き取る際に、フィルム自身を巻きずれを生じないようにする巻き取り用ガイドとして機能する。よって、巻き取られるラミネート用フィルムが巻きずれを起こすのを防止する。
すなわち、巻きずれ防止印刷が施されると、その防止印刷のインキの厚みが、巻き取り方向にフィルムがスムーズに巻き取られるように、かつ、巻き取り方向に交差方向にフィルムがずれないようにガイドとして働くため、巻きずれを防止することができる。
【００１３】
巻きずれ防止印刷は、請求項２記載のように、互いに平行な少なくとも３本の仮想直線上に印刷され、巻き取り方向に沿って断続的に現れる多数の線分を含む構成とすることにより、これら多数の線分が互い違いに重なり合うようにフィルムが巻き取られていくため、ロール状に巻き取られるフィルムが、ロールの軸方向にずれるのを防止することができる。
【００１４】
３本の仮想直線上に印刷される多数の線分は、請求項３，４記載のように、両側の仮想直線上に対をなすように線分が現れ、中央の仮想直線上に、両側の仮想直線上の線分と巻き取り方向にずれて重複しない位置に線分が現れるようにすることにより、３本の仮想直線上の線分は、交互に積み重なるようにフィルムが巻き取られる。これにより、フィルムの巻きずれを良好に防止することができる。
【００１５】
各線分の長さをＬ、太さをＴとしたとき、請求項４記載のように、巻き取り方向にみた各線分の間隔は（０．２Ｌ）以上の間隔があいていることが好ましい。また、請求項５記載のように、巻き取り方向と直交方向にみた各線分の間隔は（０．５Ｔ／２）以上の間隔があいていることが好ましい。
請求項６記載の印刷済ラミネート用フィルムによれば、巻き取り時に、巻き取り軸方向にフィルムがずれるという巻きずれを防止できるラミネート用フィルムを提供することができる。
【発明を実施するための最良の形態】
【００１６】
以下には、図面を参照して、この発明の実施形態について具体的に説明をする。
図１は、この発明の一実施形態に係る印刷済ラミネート用フィルムをロール状に巻き取るための機構例を図解的に表わした図である。
ラミネート用フィルム１０は、たとえばフィルム製造機１から製造出力され、それが搬送ローラー２等によってグラビア印刷機３に供給される構成とすることができる。あるいは、フィルム製造機１から直接フィルムが供給されるのではなく、ロール状に巻かれたフィルムロール４から、ラミネート用フィルム１０が繰り出され、搬送ローラー２に案内されてグラビア印刷機３に供給される構成としてもよい。
【００１７】
グラビア印刷機３では、供給されるラミネート用フィルム１０に対して、後述するグラビア印刷を施す。このグラビア印刷には、ラミネート用フィルム１０に要求される所望の絵柄、文字、数字等を含む本来の絵柄印刷と、巻きずれ防止のために施される巻きずれ防止印刷とが含まれる。
グラビア印刷が施された印刷済ラミネート用フィルム１０は、搬送ローラー２で案内され、巻き取り時のテンション調整用のテンションローラー１２でテンションが調整されながら、ロール軸１１の周面にロール状に巻き取られる。
【００１８】
図２は、ラミネート用フィルム１０の部分平面図であり、矢印Ａ１で示す巻き取り方向（印刷方向）に延びるラミネート用フィルム１０の一部が示されている。
ラミネート用フィルム１０は、その幅（巻き取り方向Ａ１に直交方向の寸法）Ｗが、たとえば６３０〜１０４０ｍｍ程度の寸法である。また、ラミネート用フィルム１０は、その厚みがたとえば２５μｍ程度のたとえば透明体である。このラミネート用フィルム１０は、たとえばポリスチレンやポリプロピレンによって作られている。
【００１９】
ラミネート用フィルム１０には、その幅Ｗ方向に見て、両側の耳領域２１を除く領域（以下「メイン領域」という）２２に、任意の絵柄や文字等が印刷される。メイン領域２２に印刷される絵柄等は、このラミネート用フィルム１０がラミネートされる樹脂シートにより成形される包装用容器に必要な絵柄等である。
メイン領域２２に印刷される絵柄等は、グラビア印刷機３によりグラビア印刷により施される。
【００２０】
この実施形態では、グラビア印刷機３により、メイン領域２２への絵柄等の印刷に加えて、本来は印刷が施されることのないエッジ領域２１に対し、巻きずれ防止印刷２４が施される。
この実施形態では、巻きずれ防止印刷２４は、図３に示すような印刷である。
図３を参照して、巻きずれ防止印刷２４は、ラミネート用フィルム１０の巻き取り方向Ａ１に延びる互いに平行な３本の仮想直線Ｌ１、Ｌ２、Ｌ３上に印刷された多数の線分２５、２６、２７を含んでいる。各線分２５、２６、２７は、それぞれ、ラミネート用フィルム１０の巻き取り方向Ａ１に沿って断続的に現れるように印刷される。
【００２１】
両側の仮想直線Ｌ１およびＬ３上に印刷される線分２５および２７は、対をなしており、ラミネート用フィルム１０の巻き取り方向Ａ１に見て、同じ位置に現れるように印刷される。一方、中央の仮想直線Ｌ２上に印刷される線分２６は、ラミネート用フィルム１０の巻き取り方向Ａ１に見て、線分２５、２７とずれて重複しないように、線分２５、２７が現れない位置に現れるように印刷される。
【００２２】
一例として、各線分２５、２６、２７の長さをＬとした場合に、線分２５および２７と線分２６とは、巻き取り方向Ａ１に見て、間隔Ｓ１がＳ１＝０．２Ｌ以上空くように印刷される。また、各線分２５、２６、２７の太さＴは、一例としてＴ＝１．０ｍｍであり、その場合に線分２５と２７との間隔Ｓ２はＳ２＝１．５ｍｍ以上とされている。すなわち、線分２５と２７との間の間隔Ｓ２は、各線分の太さＴに対してＳ２≧１．５Ｔの関係を満たすように設定されている。
【００２３】
巻きずれ防止印刷２４を、上述の関係を有する線分２５、２６、２７を含む構成とすることによって、各線分２５、２６、２７を表わすインキの厚みにより、両側の対をなす線分２５、２７の間に中央の線分２６が収まるように巻き取られ、ラミネート用フィルム１０が巻きずれを生じることなくロール状に巻き取られる。
より具体的には、図４に示すように、ロール状に巻き取られた印刷済ラミネート用フィルム１０において、その耳領域２１の巻き取り部分では、Ａ部分の拡大図に示すように、対をなす両側の線分２５、２７が積層され、その間に、線分２５、２７と重複しないように線分２６が積層されることになり、線分２５、２６、２７を表わすインキの厚みが、巻き取られたラミネート用フィルム１０がロール軸方向にずれるのを防止する。すなわち、印刷済ラミネート用フィルム１０は、巻きずれ防止印刷２４をガイドとして、ロール軸方向にずれないように良好に巻き取られる。
【００２４】
この発明の実施形態では、ラミネート用フィルム１０の幅Ｗ方向両側に存在する耳領域２１に対して、それぞれ、巻きずれ防止印刷２４を施す例を説明した。
しかし、巻きずれ防止印刷２４は、両側の耳領域２１に施さず、いずれか一方の耳領域２１にのみ施す構成としてもよい。
また、巻きずれ防止印刷２４は、平行な３本の仮想直線Ｌ１、Ｌ２、Ｌ３上に印刷される線分とせず、４本以上の仮想直線上に印刷される線分を用いた構成としてもよい。
【００２５】
さらにまた、巻きずれ防止印刷は、前述の実施形態のようにフィルムの耳領域（フィルムの長さ方向に交差方向の端部分）だけではなく、たとえば定位置成型品用に、メイン領域に所定の絵柄が印刷され、絵柄と絵柄との間にブランク領域が存在する場合には、そのブランク領域（メイン領域に生じる絵柄が印刷されていない領域）に巻きずれ防止印刷が施されてもよい。
【００２６】
この発明は、上記の実施形態に限定されるものではなく、請求項記載の範囲内において種々の変更が可能である。
【図面の簡単な説明】
【００２７】
【図１】この発明の一実施形態に係る印刷済ラミネート用フィルムをロール状に巻き取るための機構例を図解的に表わした図である。
【図２】ラミネート用フィルム１０の部分平面図である。
【図３】巻きずれ防止印刷２４の一例を表わす図である。
【図４】巻きずれ防止印刷２４により巻きずれが防止される理由を説明するための図である。
【符号の説明】
【００２８】
１０    ラミネート用フィルム
２１    耳領域
２２    メイン領域
２４    巻きずれ防止印刷
２５、２６、２７    線分
Ｌ１、Ｌ２、Ｌ３    仮想直線
【図１】
2008290829.tif 000003
【図２】
2008290829.tif 000004
【図３】
2008290829.tif 000005
【図４】
2008290829.tif 000006